(57)【要約】【課題】  捕獲したゴキブリが外部から目視されない構造とすることにより、捕獲具の先端の吸引口を閉じたりこの捕獲具を吸引ホースから取り外したりする作業を不快感を伴うことなく安心して行うことができる吸引式害虫用捕獲具を得る。【解決手段】  捕獲具１を、電気掃除機の吸引ホースに接続するための第１筒部材２と、この第１筒部材２の先端部２ｂに差し込み式に接続される第２筒部材３とで構成し、該第２筒部材３の先端部３ｂには、害虫を吸い込む吸引口６を塞ぐための蓋片８を連設すると共に、該蓋片８を閉塞状態に止着するための蓋用接着手段９を設け、第２筒部材３の基端部３ａには、吸い込んだ害虫を捕捉するための多孔部材７を取り付け、上記第１筒部材２には、上記第２筒部材３と吸引ホースとを連通させる継手の機能と、該第２筒部材３の基端部３ａを覆い隠すことによって捕捉された害虫の外部からの目視を防止する目隠し部材の機能とを兼備させる。【選択図】        図１
2006158337.tif 000002
【特許請求の範囲】
【請求項１】
電気掃除機の吸引ホースに接続するための第１筒部材と、この第１筒部材の先端部に差し込み式に接続される第２筒部材とを有し、これらの第１筒部材及び第２筒部材はそれぞれ、径方向に指で押し潰し可能な程度の柔軟性を有する筒形をなしており、
上記第２筒部材は、害虫を吸い込むための吸引口を有する先端部と、吸い込んだ害虫を捕捉するための多孔部材が取り付けられた基端部とを有していて、上記吸引口は、害虫吸引後に電気掃除機の吸引力によって閉塞可能であり、
上記第１筒部材は、上記第２筒部材と吸引ホースとを連通させる継手の機能と、該第２筒部材の基端部を覆い隠すことによって捕捉された害虫の外部からの目視を防止する目隠し部材の機能とを兼備している、
ことを特徴とする吸引式害虫用捕獲具。
【請求項２】
上記第１筒部材及び第２筒部材にはそれぞれ、次第に先広がり状のテーパーが付されていることを特徴とする請求項１に記載の捕獲具。
【請求項３】
上記第２筒部材が、上記吸引口の開口縁の一部に、閉塞した該吸引口を外側から覆って閉塞状態に保持するための蓋片を有すると共に、上記吸引口の外側面に、この蓋片を閉塞位置に止着するための蓋用止着手段を有することを特徴とする請求項１又は２に記載の捕獲具。
【請求項４】
上記吸引口の開口縁が第２筒部材の中心軸線に対して傾斜していて、上記蓋片が、該開口縁の半周側部分である第１口縁部分に、上記第２筒部材の外側面に沿って折り返された状態に連設され、また、上記蓋用接着手段が、上記開口縁の他の半周側部分であって上記第１口縁部分とは左右対象をなす第２口縁部分の外側面に設けられていることを特徴とする請求項３に記載の捕獲具。
【請求項５】
上記第１筒部材が、基端部に閉塞手段を有していて、上記第２筒部材を接続したまま該基端部を径方向に押し潰すことにより、該基端部を上記閉塞手段で閉塞状態に保持可能であることを特徴とする請求項１から４の何れかに記載の捕獲具。
【請求項６】
上記第２筒部材が、上記吸引口の閉塞時に電気掃除機によるエア吸引量を調整するための切り欠きを有することを特徴とする請求項１から４の何れかに記載の捕獲具。
【発明の詳細な説明】
【技術分野】
【０００１】
本発明は、電気掃除機の吸引力を利用してゴキブリ等の害虫を捕獲する吸引式害虫用捕獲具に関するものである。
【背景技術】
【０００２】
電気掃除機の吸引力を利用してゴキブリ等の害虫を捕獲する吸引式害虫用捕獲具は、下記の特許文献１〜６に示すように、従来より各種形態のものが提案されている。
これらの捕獲具は、一般に、筒状をした捕獲具本体の一端に網状部材を取り付けた構成を有していて、電気掃除機の吸引ホースの先端部に接続したり、該吸引ホースの内部に収容した状態で使用する。そして、該捕獲具の内部に害虫が吸い込まれて捕獲されると、その先端の開口部を接着剤や蓋等で閉じると共に、この捕獲具を吸引ホースから取り外し、そのまま廃棄処分するものである。
【０００３】
【特許文献１】実用新案登録第３０４５２０１号公報
【特許文献２】実用新案登録第３０５７８９３号公報
【特許文献３】実用新案登録第３０６４４８１号公報
【特許文献４】特開平１０−１７９００１号公報
【特許文献５】特開平１１−  １８６６２号公報
【特許文献６】特開２００３−２３５４２７号公報
【発明の開示】
【発明が解決しようとする課題】
【０００４】
ところが、上記従来の捕獲具は、その端部に網状部材が取り付けられているため、例えばゴキブリを捕捉したあと該捕獲具を吸引ホースから取り外した場合、捕獲したゴキブリが上記網状部材の網目を通じて外部から目視されることになる。このため、ゴキブリに対する恐怖感や嫌悪感あるいは不潔感等が強く働いて捕獲具をそのまま手に持ち続けることができず、その後の廃棄作業に支障を来すことが多かった。
【０００５】
また、捕獲具の端部に網状部材が取り付けられていることから、捕獲したゴキブリがこの網状部材を通じて外部から目視されるということが容易に想像できるため、該捕獲具を使用するに当たってそれを吸引ホースに接続する作業は行うことができても、実際にゴキブリを捕獲したあとでは、上述した想像により捕獲具に触れることに対して強い抵抗感が働き、捕獲具先端の吸引口を閉じたり、この捕獲具を吸引ホースから取り外したりする作業をなかなか行うことができないのが実情である。
【０００６】
そこで本発明の目的は、捕獲したゴキブリが外部から目視されない構造とすることにより、捕獲具の先端の吸引口を閉じたりこの捕獲具を吸引ホースから取り外したりする作業を不快感を伴うことなく安心して行うことができる、取り扱い性に勝れた吸引式害虫用捕獲具を提供することにある。
【課題を解決するための手段】
【０００７】
上記目的を達成するため、本発明の捕獲具は、電気掃除機の吸引ホースに接続するための第１筒部材と、該第１筒部材の先端部に差し込み式に接続される第２筒部材とを有し、これらの第１筒部材及び第２筒部材はそれぞれ、径方向に指で押し潰し可能な程度の柔軟性を有する筒形をなしており、上記第２筒部材は、害虫を吸い込むための吸引口を有する先端部と、吸い込んだ害虫を捕捉するための多孔部材が取り付けられた基端部とを有していて、上記吸引口は、害虫吸引後に電気掃除機の吸引力によって閉塞可能であり、上記第１筒部材は、上記第２筒部材と吸引ホースとを連通させる継手の機能と、該第２筒部材の基端部を覆い隠すことによって捕捉された害虫の外部からの目視を防止する目隠し部材の機能とを兼備していることを特徴とするものである。
【０００８】
上記第１筒部材及び第２筒部材にはそれぞれ、次第に先広がり状のテーパーが付されていることが望ましい。
【０００９】
本発明において好ましくは、上記第２筒部材が、上記吸引口の開口縁の一部に、閉塞した該吸引口を外側から覆って閉塞状態に保持するための蓋片を有すると共に、上記吸引口の外側面に、この蓋片を閉塞位置に止着するための蓋用止着手段を有することである。
この場合、上記吸引口の開口縁が第２筒部材の中心軸線に対して傾斜していて、上記蓋片が、該開口縁の半周側部分である第１口縁部分に、上記第２筒部材の外側面に沿って折り返された状態に連設され、また、上記蓋用接着手段が、上記開口縁の他の半周側部分であって上記第１口縁部分とは左右対象をなす第２口縁部分の外側面に設けられていることが望ましい。
【００１０】
また、本発明においては、上記第１筒部材が、基端部に閉塞手段を有していて、上記第２筒部材を接続したまま該基端部を径方向に押し潰すことにより、該基端部を上記閉塞手段で閉塞状態に保持可能なるように構成されている。
【００１１】
更に、本発明においては、上記第２筒部材が、上記吸引口の閉塞時に電気掃除機によるエア吸引量を調整するための切り欠きを有するよに構成しても良い。
【発明の効果】
【００１２】
本発明の害虫用捕獲具は、目隠し用の第１筒部材と害虫捕捉用の第２筒部材とからなっていて、第１筒部材の先端部に第２筒部材の基端部を差し込み式に接続したとき、この第２筒部材の基端部が上記第１筒部材で覆い隠されることによって捕捉された害虫が外部から目視されないようになっているので、害虫を捕獲した後に捕獲具の先端の吸引口を閉じたり、この捕獲具を吸引ホースから取り外したりする作業を、害虫を見ながらあるいは見ることを予測しながら行う場合のような恐怖感や嫌悪感あるいは不潔感等を伴うことなく安心して行うことができ、取り扱い性に勝れる。
【発明を実施するための最良の形態】
【００１３】
図１〜４は本発明に係る吸引式害虫用捕獲具の一実施形態を示すものである。この捕獲具１は、図６に示すように、電気掃除機２０の吸引ホース２１の先端に接続して使用するもので、該吸引ホース２１に接続するための第１筒部材２と、この第１筒部材２の先端部に差し込み式に接続される第２筒部材３とからなっている。
【００１４】
これらの第１筒部材２と第２筒部材３とは、それぞれ、厚紙や合成樹脂製ボードのような可撓性を備えた不透明素材により、次第に先広がり状のテーパーが付された円筒形あるいは楕円筒形などに形成されたもので、それらの柔軟さの程度は、害虫の捕獲に使用する際に、電気掃除機２０の吸引力によって使用に支承を来す程度にまで潰れたり変形したりすることはないが、指で両側から摘んで径方向に押し潰すことができる程度である。
【００１５】
上記両筒部材２，３のうち第１筒部材２は、吸引ホース２１の先端に差し込み式に接続するための小径の基端部２ａと、上記第２筒部材３の基端部３ａを受け入れるための大径の先端部２ｂとを有していて、この第２筒部材３と吸引ホース２１とを相互に連通させる継手としての機能の他に、該第２筒部材３の基端部３ａを覆い隠すことによってこの第２筒部材３内に捕捉された害虫が外部から目視されないようにするための目隠し用部材としての機能をも有するものである。
【００１６】
上記第１筒部材２の基端部２ａには、該基端部２ａを閉塞するための閉塞手段５が設けられている。この閉塞手段５は両面接着テープによって形成され、この閉塞手段即ち接着テープ５が、第１筒部材２の基端部２ａの端縁を包み込む形で該第１筒部材２の内外両面に折り返された状態に取り付けられている。そして、害虫吸引後に捕獲具１を吸引ホース２１から取り外して廃棄する際に、上記接着テープ５の表面に張り付けられている剥離紙を剥がし、上記第１筒部材２の基端部２ａを指で両側から押し潰し、上記接着テープ５で部材壁を閉塞状態に止着させるようにする。このとき、該接着テープ５の一部が第１筒部材２の外側に折り返されているから、この外側に位置する部分から剥離紙を剥がすことにより、害虫がいる第１筒部材２の内部に指を差し込んで剥離紙を剥がす必要がなく、嫌悪感を伴うことなく基端部２ａの閉塞作業を行うことができる。
【００１７】
また、上記第２筒部材３は、ゴキブリ等の害虫を吸い込むための吸引口６を有する大径の先端部３ｂと、吸い込んだ害虫を捕捉しておくための多孔部材７で塞がれた小径の上記基端部３ａとを有している。上記吸引口６は第２筒部材３の中心軸線に対して一方向に傾斜していて、その開口縁の半周側である第１口縁部分６ａには、上記先端部３ｂを押し潰した状態で外側から覆うための蓋片８が、この第２筒部材３の外側面に沿って基端部３ａ方向に折り返された状態に連設されており、この第１口縁部分６ａと実質的に左右対象の関係にある他の半周側の第２口縁部分６ｂの外側面には、上記蓋片８を閉塞位置に止着するための蓋用接着手段９が設けられている。この蓋用接着手段９は、両面接着テープによって形成され、その表面に剥離紙が張り付けられている。
上記吸引口６の中心軸線に対する傾斜角度は４０〜６０度程度であることが好ましく、より好ましくは４５〜５０度程度である。
【００１８】
上記蓋片８は、必ずしも上記第１口縁部分６ａの全長に亘り形成する必要はなく、該第１口縁部分６ａの一部にだけ形成することもできる。また、この蓋片８は、上記第２筒部材３と一体に形成しても良いが、別形成した蓋片８をこの第２筒部材３に接着等の手段で連設しても良い。
【００１９】
上記吸引口６の第２口縁部分６ｂには、該吸引口６を閉じた時のエア吸引量を調整するための通気用切り欠き１０が形成されている。この切り欠き１０はＶ字形をしているが、Ｕ字形や凹形などその他の適宜形状であっても構わない。あるいは、吸引口６の開口縁にこのような切り欠き１０を設ける代わりに、第２筒部材３の先端部３ｂの適宜位置に一つ以上の孔からなる切り欠きを設けても良い。
しかし、吸引口６を閉じた状態で適量のエア吸引量が得られ場合には、必ずしもこのような切り欠きを形成する必要はない。
【００２０】
上記第２筒部材３の基端部３ａに設けられた多孔部材７は、合成樹脂製の網や、合成樹脂製あるいは紙製の孔明きシート等からなるもので、このような多孔部材７が上記基端部３ａの端面を覆うように取り付けられている。この多孔部材７及び第２筒部材３の内面のうちの少なくとも一方には、捕獲した害虫を付着させて身動きできないように捕捉するための粘着材を塗布したり、殺虫剤を塗布しておくこともできる。
【００２１】
上記害虫用捕獲具１は、図６に示すように、第１筒部材２の先端部に第２筒部材３の基端部３ａを差し込んで接続し、その状態で上記第１筒部材２の基端部２ａを電気掃除機２０の吸引ホース２１の先端に接続してゴキブリ等の害虫を吸引する。このとき、上記第１筒部材２と第２筒部材３とは分離自在であっても、接着によって相互に結合してあっても構わない。また、これらの両筒部材２，３が押し潰されて扁平化された状態で包装あるいは収納されている場合は、それらを筒状に広げて使用する。
【００２２】
害虫の吸引は、上記第２筒部材３の先端部の吸引口６を害虫に被せるか、横向きにした該吸引口６内に害虫を誘導しあるいは追い込むことによって行う。そして、害虫を吸引したあと、上記第２筒部材３の先端部３ｂを両側から指で軽く摘んで変形させると、その後は電気掃除機２０の吸引力の作用で該先端部３ｂが潰れて吸引口６が閉塞するから、蓋片８を起立させて閉塞した吸引口６を外側から覆うように回動させ、蓋用接着手段９でその位置に止着することにより、上記吸引口６はこの蓋片８によって閉塞状態に保持され、害虫は内部に封じ込められて逃げ出すことができなくなる。そこで、図５に示すように、該捕獲具１を吸引ホース２１から取り外すと共に、第１筒部材２の基端部２ａを指で両側から押し潰して閉塞手段５により閉塞し、その状態でごみ箱等に廃棄すれば良い。
【００２３】
ここで、上記第２筒部材３の内部に吸い込まれた害虫は、その基端部３ａの多孔部材７の位置に捕捉されることになるが、該第２筒部材３の基端部３ａは第１筒部材２で覆い隠され、害虫が外部から目視されないようになっているので、害虫を捕獲した後に捕獲具１の先端の吸引口６を閉じたり、この捕獲具１を吸引ホース２１から取り外したりする作業を、害虫を見ながらあるいは見ることを予測しながら行う場合のような恐怖感や嫌悪感あるいは不潔感等を伴うことなく安心して行うことができる。
【００２４】
また、捕獲具１の吸引口６を塞ぐ場合、従来品のように吸引口の内側面に両面接着テープを取り付けたものにおいては、害虫吸引後にその害虫が動き回っている捕獲具内部に指を挿入して剥離紙を剥がす必要があって、不快感や不潔感が非常に強く、また、害虫が逃げ出さないように先端部をある程度押し潰し加減にしながら剥離紙を剥がさなければならないため、作業を行いにくいという問題があるのに対し、上記捕獲具１の場合は、吸引口６の口縁部分に連設した蓋片８を反転させて該吸引口６を外側から覆うようにしているため、上述したような問題が一切なく、作業を簡単かつ安心して行うことができる。
【図面の簡単な説明】
【００２５】
【図１】本発明に係る捕獲具の斜視図である。
【図２】捕獲具を図１とは異なる角度から見た場合の斜視図である。
【図３】第１筒部材と第２筒部材とを分離した状態の捕獲具の斜視図である。
【図４】図１の捕獲具の断面図である。
【図５】害虫を捕獲した状態を示す断面図である。
【図６】捕獲具を電気掃除機に接続した状態の斜視図である。
【符号の説明】
【００２６】
１      捕獲具
２      第１筒部材
３      第２筒部材
２ａ，３ａ      基端部
２ｂ，３ｂ      先端部
５      止着手段
６      吸引口
６ａ      第１口縁部分
６ｂ      第２口縁部分
７      多孔部材
８      蓋片
９      蓋用接着手段
１０      切り欠き
２０      電気掃除機
２１      吸引ホース
【図１】
2006158337.tif 000003
【図２】
2006158337.tif 000004
【図３】
2006158337.tif 000005
【図４】
2006158337.tif 000006
【図５】
2006158337.tif 000007
【図６】
2006158337.tif 000008